(57)【特許請求の範囲】
【請求項１】
周囲の明暗に応じて照明負荷の状態を制御する機能をもつ照度センサブロックを備えた照明装置において、前記照度センサブロックは照度センサを内蔵するブロック外郭形成部材と、ブロック外郭形成部材に取り付けられた透過カバーとを備えており、前記透過カバーが、照度センサに到達する光のうちの、赤外線領域の光成分を遮断又は減衰し、且つ、可視領域の光成分を通過させるフィルタ機能を備え、別途赤外線センサを設け、前記赤外線センサで検出された赤外線の多少により、照度センサの感度を切替えることを特徴とする点灯装置。
【請求項２】
周囲の明暗に応じて照明負荷の状態を制御する機能をもつ照度センサブロックを備えた照明装置において、前記照度センサブロックは照度センサを内蔵するブロック外郭形成部材と、ブロック外郭形成部材に取り付けられた透過カバーとを備えており、前記透過カバーが、照度センサに到達する光のうちの、赤外線領域の光成分を遮断又は減衰し、且つ、可視領域の光成分を通過させるフィルタ機能を備え、別途赤外線センサを設け、前記赤外線センサで検出された赤外線の多少により、照度センサの感度を切替えることを特徴とする照明装置。
【請求項３】
周囲の暗に応じて照明負荷の状態を制御する機能をもつ照度センサブロックを備えた点灯装置と、器具の外郭を形成する器具外郭形成部材を備えた照明装置において、前記器具外郭形成部材は透過カバーを備えており、前記透過カバーが、照度センサに到達する光のうちの、赤外線領域の光成分を遮断又は減衰し、且つ、可視領域の光成分を通過させるフィルタ機能を備え、別途赤外線センサを設け、前記赤外線センサで検出された赤外線の多少により、照度センサの感度を切替えることを特徴とする照明装置。
【請求項４】
透過カバーは、赤外線領域の光成分を吸収する色素を分散させた吸収層を含む多層構造であることを特徴とする請求項２又は３に記載の照明装置。
【請求項５】
レンズが配置されており、光は前記レンズを介して照度センサに入り、前記レンズの焦点距離を変更することにより、照度センサの感度を切替え可能にしたことを特徴とする請求項２乃至４のいずれかに記載の照明装置。
【請求項６】
レンズが配置されており、光は前記レンズを介して照度センサに入り、照度センサからレンズまでの距離を変更することにより、照度センサの感度を切替え可能にしたことを特徴とする請求項２乃至５のいずれかに記載の照明装置。」
【請求項７】
レンズが配置されており、光は前記レンズを介して照度センサに入り、照度センサからレンズまでの距離を変更することにより、照度センサの感度を切替え可能にしたことを特徴とする請求項２乃至６のいずれかに記載の照明装置。
【発明の詳細な説明】
【技術分野】
【０００１】
本発明は、照度センサによって周囲の明るさを検知し、照明負荷の制御を行う点灯装置及び照明装置に関するものである。
【背景技術】
【０００２】
従来から、暗いときには照明負荷を点灯させ、明るいときには照明負荷を消灯させる照度センサとしてCdS セルが広く用いられている。CdS セルは、安価で視感度に近い分光感度特性をもっている。しかしながらCdS セルは、環境面では課題を残す。そのため、CdS セルから光電変換素子への置き換えが進みつつある。
この光電変換素子は、CdS セルと比べて、特に視感度よりも赤外線領域に広い分光感度を有している。このため光電変換素子の出力は、赤外線領域の光成分を多く含む白熱灯に対しては高くなり、相対的に赤外線領域の光成分の少ない蛍光灯や太陽光に対しては低くなる傾向がある。つまり、光源が白熱灯である場合と蛍光灯である場合とで、人間が同じ明るさと感じても、光電変換素子は、白熱灯の方が蛍光灯よりも明るいと判定してしまう。
その対策として、分光感度特性が同一である２つの光電変換素子の一方に可視領域の光成分をカットするフィルタを設け、両者の出力差を取ることで赤外線領域の波長をカットするという方法がある。
【特許文献１】特開平８−３３０６２１号公報
【発明の開示】
【発明が解決しようとする課題】
【０００３】
上記対策を行うと、光電変換素子の分光感度特性は視感度に近づくが、赤外線領域の感度が無くなるわけではない。そのため、赤外線領域の光成分を多く含む光源に対する感度と少ない光源に対する感度とでは、赤外線領域の光成分を検出するか否かによる差が残っている。
そこで本発明は、照度センサの、赤外線領域の光成分を多く含む光源に対する感度と、少ない光源に対する感度の差を小さくすることを課題としており、このような照度センサを備えた点灯装置及び照明装置を提供することを目的としている。
【課題を解決するための手段】
【０００４】
上記課題を解決するための請求項１の発明は、周囲の明暗に応じて照明負荷の状態を制御する機能をもつ照度センサブロックを備えた照明装置において、前記照度センサブロックは照度センサを内蔵するブロック外郭形成部材と、ブロック外郭形成部材に取り付けられた透過カバーとを備えており、前記透過カバーが、照度センサに到達する光のうちの、赤外線領域の光成分を遮断又は減衰し、且つ、可視領域の光成分を通過させるフィルタ機能を備え、別途赤外線センサを設け、前記赤外線センサで検出された赤外線の多少により、照度センサの感度を切替えることを特徴とする点灯装置である。
【０００５】
請求項２に記載の発明は、周囲の明暗に応じて照明負荷の状態を制御する機能をもつ照度センサブロックを備えた照明装置において、前記照度センサブロックは照度センサを内蔵するブロック外郭形成部材と、ブロック外郭形成部材に取り付けられた透過カバーとを備えており、前記透過カバーが、照度センサに到達する光のうちの、赤外線領域の光成分を遮断又は減衰し、且つ、可視領域の光成分を通過させるフィルタ機能を備え、別途赤外線センサを設け、前記赤外線センサで検出された赤外線の多少により、照度センサの感度を切替えることを特徴とする照明装置である。
なお「照明装置」は、「照明器具」を含む概念である。
【０００６】
請求項３に記載の発明は、周囲の暗に応じて照明負荷の状態を制御する機能をもつ照度センサブロックを備えた点灯装置と、器具の外郭を形成する器具外郭形成部材を備えた照明装置において、前記器具外郭形成部材は透過カバーを備えており、前記透過カバーが、照度センサに到達する光のうちの、赤外線領域の光成分を遮断又は減衰し、且つ、可視領域の光成分を通過させるフィルタ機能を備え、別途赤外線センサを設け、前記赤外線センサで検出された赤外線の多少により、照度センサの感度を切替えることを特徴とする照明装置である。
【０００７】
請求項４に記載の発明は、透過カバーは、赤外線領域の光成分を吸収する色素を分散させた吸収層を含む多層構造であることを特徴とする請求項２又は３に記載の照明装置である。
【０００９】
検出された赤外線が多ければ照度センサの感度を低く設定し、逆に少なければ感度を高く設定する。
【００１０】
請求項５に記載の発明は、レンズが配置されており、光は前記レンズを介して照度センサに入り、前記レンズの焦点距離を変更することにより、照度センサの感度を切替え可能にしたことを特徴とする請求項２乃至４のいずれかに記載の照明装置である。
【００１１】
請求項６に記載の発明は、レンズが配置されており、光は前記レンズを介して照度センサに入り、照度センサからレンズまでの距離を変更することにより、照度センサの感度を切替え可能にしたことを特徴とする請求項２乃至５のいずれかに記載の照明装置である。
【発明の効果】
【００１２】
本発明を実施することにより、光源の種類を問わず、照度センサの感度差を小さくすることができる点灯装置及び照明装置を提供することができる。
【００１３】
請求項１，２の発明では、照度センサブロックは、照度センサを内蔵するブロック外郭形成部材と、ブロック外郭形成部材に取り付けられた透過カバーとを備えており、前記透過カバーに、照度センサに到達する光のうちの、赤外線領域の光成分を遮断し、且つ、可視領域の光成分を通過させるフィルタ機能を付与したので、光源が人目には識別できない赤外線成分を比較的多く含んでいても、照度センサに入る赤外線成分を遮断又は減衰することができ、点灯装置又は照明装置を適切な明るさで点灯させることができる。また、別途赤外線センサを設け、この赤外線センサで検出された赤外線の多少により、照度センサの感度を切替えるようにしたので、より正確な明るさを提供することができるようになる。
【００１４】
請求項３の発明では、器具外郭形成部材が透過カバーを備え、透過カバーが、照度センサに到達する光のうちの、赤外線領域の光成分を遮断又は減衰し、且つ、可視領域の光成分を通過させるフィルタ機能を備えるので、請求項１，２の発明と同様に、光源が人目には識別できない赤外線成分を比較的多く含んでいても、照度センサに入る赤外線成分を遮断又は減衰することができ、照明装置を適切な明るさで点灯させることができる。また、別途赤外線センサを設け、この赤外線センサで検出された赤外線の多少により、照度センサの感度を切替えるようにしたので、請求項１，２の発明と同様に、より正確な明るさを提供することができるようになる。
【００１５】
請求項４の発明では、赤外線領域の光成分を吸収する色素を分散させることによってフィルタとしての機能を付与しているので、製造が容易である。また透過カバーは多層構造であるから丈夫である。
【００１７】
請求項５の発明では、照度センサブロックにはレンズが配置されており、光は前記レンズを介して照度センサに入り、前記レンズの焦点距離を変更することにより、照度センサの感度を切替え可能にしたので、光源が赤外線成分の異なる別の光源に変わった際などに、簡単な操作で照度センサの感度を切替えることができる。
【００１８】
請求項６の発明では、照度センサからレンズまでの距離を変更することにより、照度センサの感度を切替え可能にしたので、請求項５の発明と同様に、簡単な操作で照度センサの感度を切替えることができる。
【発明を実施するための最良の形態】
【００１９】
以下において、図面を参照しながら本発明の実施の形態について説明する。
図１は、本発明の照明装置１の斜視図であり、図２は、図１の照明装置１を下方から見た斜視図である。
【００２０】
（実施の形態１）
図１及び図２に示すように照明装置１は、点灯装置とランプ４等を器具本体２とグローブ３とで囲んだものである。また点灯装置は照度センサブロック５を含んでいる。
即ち本実施形態の照明装置１は、器具本体２、グローブ３、ランプ４及び照度センサブロック５等で構成されている。
照明装置１は、例えば屋外用の壁面取付型であり、器具本体２内にはランプ４（照明負荷）と、照度センサブロック５とが設置されている。また、器具本体２は、透光性のカバー６（外郭透過カバー）を備えており、壁（図示せず）に取り付けられるグローブ３にカバー６を装着することにより、ランプ４が器具本体２内に収容されるようになっている。
【００２１】
図３は、図２のＡ−Ａ平面を矢印方向から観察した断面図である。
器具本体２内には前記した様に照度センサブロック５が内蔵されている。照度センサブロック５は、図１，２，３に示すように、器具本体２内の下部に設けられている。
照度センサブロック５は、その大部分がカバー６（外郭透過カバー）内にあるが、その一部はカバー６から露出している。即ち図３に示すようにカバー６には開口１６が設けられており、照度センサブロック５の下端部が開口１６から露出している。
またグローブ３の一部であって、照度センサブロック５の下端部が対向する部位には、開口４が設けられ、当該開口４にも透過カバー７が設けられている。透過カバー７は、赤外線及び可視光線の双方を透過する。
なお本実施形態では、前記したグローブ３は、照明装置１の外郭を形成するものであり、器具外郭形成部材として機能する。従って本実施形態では、器具外郭形成部材（グローブ３）に開口４が設けられ、この開口４に透過カバー７が取り付けられている。
【００２２】
前記した照度センサブロック５は、フォトトランジスタ９（照度センサ）とその周辺機器（図示せず）がユニット化されたものであり、照度センサユニットとも称される。
【００２３】
即ち照度センサブロック５は、外郭を構成するブロック外郭形成部材２０を有し、このブロック外郭形成部材２０の中にフォトトランジスタ９（照度センサ）が内蔵されている。また器具本体２内には図１に示すようにマイコン８（例えば松下電器産業社製のMN15G0402 ）が搭載されており、照度センサブロック５とマイコン８とは、図示しない信号線で接続されている。よって、照度センサブロック５内のフォトトランジスタ９（照度センサ）が検出した光の量を、マイコンが信号に変換し、照明装置１の周囲の光量に応じた信号を元にして、後述するようにランプ４の発光量を制御するようになっている。
【００２４】
照度センサブロック５には前記した様にフォトトランジスタ９（例えばコーデンシ社製のPT601P11）が設けてあり、このフォトトランジスタ９によって照明装置１の周囲の照度を検知する。
照度は、次のような手法で検知される。
【００２５】
図４は、照度センサブロック５に設けたフォトトランジスタ９と、器具本体２内の他の部位に設置されたマイコン８とで構成された照度センサ回路１２の回路図である。図４に示す照度センサ回路１２は、マイコン８、フォトトランジスタ９（照度センサ）、電源１１及び抵抗Ｒ１で構成されている。電源１１、フォトトランジスタ９、及び抵抗Ｒ１は、直列に配置されている。また、フォトトランジスタ９と抵抗Ｒ１の間が分岐されてマイコン８が接続され、抵抗Ｒ１の端子電圧がマイコン８に入力される。
従ってフォトトランジスタ９に入射した光は電気信号に変換され、マイコン８に入力される。
【００２６】
フォトトランジスタ９は、検出した光量が多いほど抵抗値が下がり、逆に光量が少ないほど抵抗値が上昇する。よって、電源１１の電圧をＶｄｄ、フォトトランジスタ９の抵抗値をＰＨＴｒとすると、マイコン８の電位は、Ｖｄｄ×｛Ｒ１／（Ｒ１＋ＰＨＴｒ）｝で表される。したがって、ＰＨＴｒの値が大きくなると、マイコン８の電位は低くなり、逆にＰＨＴｒの値が小さくなると、マイコン８に入力される電圧が高くなる。よって、マイコン８に入力される電圧により、照明装置１の周囲の明るさ（照度）を検出することができる。
【００２７】
マイコン８は、出力値が予め設定した判定値よりも高ければ明るいと判定し、出力値が判定値より低ければ暗いと判定する。そして、照明装置１の周囲が明るいと判定した場合にはランプ４の照度を下げる、消灯する、消灯状態を保つなどの制御を行なう。逆に、周囲が暗いと判定した場合にはランプの照度を上げる、点灯する、点灯状態を保つなどの制御を行う。また、周囲が暗い場合に人を検知すると点灯するが、明るい場合に人を検知すると点灯しないといった様に、人感センサと組み合わせて制御することも可能である。
【００２８】
照度センサブロック５は、前記した様に外郭を構成するブロック外郭形成部材２０で囲まれており、その一部に透過カバー２１が設けられている。透過カバー２１は、フォトトランジスタ９まで光を透過させるための部材である。本実施形態では、この透過カバー２１が、赤外線領域の光成分を吸収する色素を分散させた吸収層を含む多層パネル構造を備えており、赤外線を遮断する光学フィルタとしての機能を有している。
図５は、透過カバー２１の拡大断面図である。
即ち透過カバー２１は、図５（ａ）又は図５（ｂ）の様な積層構造であり、その内の一層２３が赤外線領域の光成分を吸収する機能を備えた吸収層である。図５（ａ）に示す透過カバー２１は、吸収層２３の一面に透明樹脂の保護層２５を設けたものである。また図５（ｂ）に示す透過カバー２１'は、吸収層２３の両面に透明樹脂の保護層２５、２６を設けた例を示すものである。透過カバー７の代わりに採用することができる透過カバー７'も、図５（ｂ）に示す透過カバー２１'と同じ構造である。
【００２９】
赤外線領域の光成分を吸収する色素としては、フタロシアニン系金属錯体と芳香族ジチオール系金属錯体と芳香族ジインモニウム化合物の少なくとも１種類以上の混合物を用いるのが好ましい。
【００３０】
次に、フォトトランジスタ９の出力特性を、図６及び図７を参照しながら説明する。図６は、フォトトランジスタ９の出力特性を示すグラフである。また、図７は、光の相対感度と波長の関係を示すグラフである。
【００３１】
図６からわかるように、赤外線を遮断する透過カバー２１を通すと、白熱灯に対する出力が下がり、同じ照度の蛍光灯や太陽光に対する出力に近づいている。これは図７に示すように、透過カバー２１によって赤外線領域の光成分が遮断されたことに起因している。以上のように、透過カバー２１に赤外線を遮断する光学フィルタとしての機能をもたせることによって、様々な種類の光源に対する感度差を減らすことができる。ここで、周囲の光を検知するパーツとしては、フォトトランジスタ９以外に、フォトダイオードやフォトＩＣ（例えば浜松ホトニクス社製のS9648 ）を採用することができる。
【００３２】
（実施の形態２）
上記した実施の形態１では、照度センサブロック５の透過カバー２１に赤外線を遮断する光学フィルタとしての機能を持たせたが、これに代わってグローブ３に設けた透過カバー７に光学フィルタとしての機能を持たせてもよい。
即ち前記した実施の形態１では、器具外郭形成部材たるグローブ３と、照度センサブロック５にそれぞれ透過カバー７，２１が設けられており、光線は、二つの透過カバー７，２１を透過してフォトトランジスタ９に照射される。そして前記した実施の形態１では、内側に位置する照度センサブロック５の透過カバー２１に赤外線領域の光成分を遮断又は減衰させる機能を持たせ、外側に位置する器具外郭形成部材の透過カバー７には素通しのカバーを装着した。
しかしながら、二つの透過カバー７，２１のいずれにフィルタとしての機能を持たせても効果に大差なく、実施の形態１とは逆に外側の透過カバー２１にフィルタとしての機能を持たせてもよい。
即ち実施の形態２では、器具外郭形成部材の透過カバー７に図５（ａ）又は図５（ｂ）の様な積層構造のものが採用されている。
他の機械的構造及び電気回路は、先の実施形態と同一であるから、詳細な説明を省略する。
【００３３】
（実施の形態３）
上記した実施の形態１、２では、透過カバー７または透過カバー２１に赤外線領域の光成分を遮断又は減衰させる機能を持たせることによって光量の補正を行ったが、さらに正確な補正を行うために、電気的に感度補正を加えることもできる。
実施の形態３では、透過カバー７または透過カバー２１に、赤外線領域の光成分を遮断又は減衰させる機能を備えた、図５に示すような積層構造のものを採用する機械的構造に加えて電気回路によっても光量の補正が行われる。
実施の形態３の照明装置は、電気回路だけが、先の２つの実施形態と異なり、機械的構造については、先の実施形態と同一であるから、詳細な説明は、電気回路に限定して説明する。
【００３４】
図８は、本発明の実施の形態３で採用する照度センサ回路３０の回路図である。
本実施形態で採用する照度センサ回路３０は、マイコン８、フォトトランジスタ（照度センサ）９、電源１１、スイッチ１０、及び抵抗Ｒ１、Ｒ２で構成されている。電源１１、フォトトランジスタ９、抵抗Ｒ１又はＲ２は、直列に配置されており、抵抗Ｒ１又はＲ２への接続は、スイッチ１０によって切替えられる。抵抗Ｒ１、Ｒ２及びスイッチ１０で感度切替手段が構成されている。また、フォトトランジスタ９とスイッチ１０の間にマイコン８が接続されている。
【００３５】
図９は、検出した照度を判定するためのグラフである。図９には、マイコン８の出力値（電位）と照度の関係を示すグラフが描かれている。図９には、スイッチ１０を抵抗Ｒ１側に切替えた場合と抵抗Ｒ２側に切替えた場合とが、光源ごとに描写されている。
抵抗Ｒ１は、抵抗Ｒ２よりも抵抗値が低く設定されている。光源が赤外線成分の多い白熱灯である場合に抵抗Ｒ１に切替えた場合のグラフと、光源が赤外線成分の少ない蛍光灯である場合に抵抗Ｒ２に切替えた場合のグラフとが一致している。即ち、光源の種類によって、スイッチ１０をいずれに切替えるかを選択することにより、光源の違いによる照度の検出精度のばらつきを抑制することができるようになる。赤外線成分の多い光源であれば、照度センサ回路３０の感度を低く設定し、逆に赤外線成分の少ない光源であれば、照度センサ回路３０の感度を高く設定するように、感度切替手段（スイッチ１０）は照度センサ回路３０の感度を切替える。これにより、周囲の環境（光源）が変化しても、適切に照度を検出することができるようになる。
【００３６】
（実施の形態４）
実施の形態４は、照度センサ回路をさらに改良したものである。図１０は、実施の形態４で採用する照度センサ回路１３の回路図である。また、図１１は、図１０の照度センサ回路１３による出力値と照度の関係を示すグラフである。抵抗Ｒ３とグランド（アース）の電圧差を電源電圧Ｖｄｄで除算した値がマイコン８への出力である。また、電源電圧Ｖｄｄは、抵抗Ｒ４と、抵抗Ｒ５又は抵抗Ｒ６で分圧される。このときの抵抗Ｒ５または抵抗Ｒ６とグランドの電圧差をＶｄｄで除算した値が明暗の判定値である。抵抗Ｒ５と抵抗Ｒ６の切替えはスイッチ１４で行い、抵抗Ｒ５は抵抗Ｒ６と比べて抵抗値が低く設定されている。マイコン８は、出力値が、予め設定したマイコン８の明暗の判定値よりも高ければ明るいと判定し、出力値が判定値より低ければ暗いと判定する。
【００３７】
出力値の高い光（例えば、白熱灯の光）がフォトトランジスタ９に入射する場合には、スイッチ１４を切替えて抵抗Ｒ６と接続してマイコン８の明暗の判定値を上げる。逆に、出力値の低い光（例えば、蛍光灯の光や太陽光）がフォトトランジスタ９に入射する場合には、スイッチ１４を切替えて抵抗Ｒ５と接続して判定値を下げる。このような所作により、様々な種類の光源に対する感度差を減らすことができる。
【００３８】
（実施の形態５）
照明装置１に、別途赤外線センサを設けることにより、照度センサ回路１２又は１３の感度（又はマイコン８の明暗の判定値）を切替えるようにしてもよい。赤外線の量が、設定した値より多い場合には、スイッチ１０（又は１４）を切替えて出力値を下げるか、又はマイコン８による判定値を上げる。検出した赤外線の量が、設定した値より少ないと、スイッチ１０（又は１４）を切替えて出力値を大きくするか、又はマイコン８の判定値を下げることにより、様々な種類の光源に対する感度差を減らすことができる。さらに、スイッチ１０（又は１４）の切替えを自動的に行うようにするのが好ましい。
【００３９】
人感センサやリモコン受光モジュールは赤外線を検知して動作するため、赤外線センサとして用いることが可能である。初めから人感センサやリモコン受光モジュールを備えた器具に対しては、別途赤外線センサを設ける必要がないため、照明装置１の製造の低コスト化及び装置の小型化が可能となる。
【００４０】
（実施の形態６）
前述した実施の形態１，２では、赤外線を遮断するために透過カバー７，２１を使用することのみによって光量の補正を行ったが、さらに正確な補正を行うために、次の構成を付加することもできる。
図１２は、本発明の実施の形態６における図３相当位置での断面図である。
即ち前記した実施の形態２の様に、グローブ３に設けた透過カバー７に光学フィルタとしての機能を持たせる。
そして図１２に示すように、受光部１５を支えるシャフト部１５ａをねじ構造とし、ブロック外郭形成部材２０に対するねじ込み加減で、受光部１５の矢印Ｂで示す方向の位置を調整可能に構成する。さらに、ブロック外郭形成部材２０の一部（透過カバー７と対向する位置）を円形に切り欠いて雌ねじを切り、その上、外周側面にねじを切った環状側部１８を備えたレンズ１９を螺合させ、レンズ１９を、矢印Ｂ方向に進退させることができるように構成する。
【００４１】
図１２のように照度センサを構成することにより、レンズ１９と受光部１５の相対的な位置を変更することができる。よって、レンズ１９の焦点に受光部１５を接近させる、又は遠ざけることにより、受光部１５に入る光量を変化させることができる。よって、レンズ１９自体には赤外線を遮断する機能はないが、焦点と受光部１５の位置を変更することによって、受光部１５の感度を調整することができるようになる。
【００４２】
光源が白熱灯の場合には、受光部１５から外れた位置に焦点があるレンズ１９を用いて、受光部１５に当たる光量を減らす。光源が蛍光灯や太陽光の場合には、受光部１５の近くに焦点があるレンズ１９を用いて、受光部に当たる光量を増やす。これにより、白熱灯に対しては出力値が下がり、蛍光灯や太陽光に対しては出力値が上がるため、様々な種類の光源に対する感度差を減らすことができる。
【００４３】
（実施の形態７）
その他、フィルタ機能を備えた透過カバー７，２１の採用と並行して採用可能な構成であって、受光部１５に入る光量を変化させる例としては、照度センサブロック５自体を設置環境に応じて移動させる構成が考えられる。即ち白熱灯に対しては、受光部１５に光が当たりにくい位置に照度センサブロック５を移動させる。蛍光灯や太陽光に対しては、受光部１５に光が当たり易い位置に照度センサブロック５を移動させる。例えば、器具本体２に複数のネジ穴を設けておき、白熱灯に対しては照度センサブロック５の受光部１５に当たる光量が少ない位置のネジ穴を使って、照度センサブロック５をネジで器具本体２に取り付ける。蛍光灯や太陽光に対しては受光部１５に当たる光量が多い位置のネジ穴を使って、照度センサブロック５を器具本体２に取り付ける。このようにすることにより、白熱灯に対しては出力値が下がり、蛍光灯や太陽光に対しては出力値が上がるため、様々な種類の光源に対する感度差を減らすことができるようになる。
【００４４】
その他、上記の各実施の形態において、自己の光源が発する光線中に赤外線成分が多ければ、照度センサの感度を低く設定し、逆に赤外線成分が少なければ、照度センサの感度を高く設定すると、より正確な照度を検出することができるので好ましい。
【図面の簡単な説明】
【００４５】
【図１】本発明の照明装置の斜視図である。
【図２】図１の照明装置を下方から見た斜視図である。
【図３】図２のＡ−Ａ平面を矢印方向から観察した断面図である。
【図４】照度センサブロックに設けたフォトトランジスタと、器具本体内の他の部位に設置されたマイコンとで構成された照度センサ回路の回路図である。
【図５】透過カバーの拡大断面図である。
【図６】フォトトランジスタの出力特性を示すグラフである。
【図７】光の相対感度と波長の関係を示すグラフである。
【図８】本発明の実施の形態３で採用する照度センサ回路の回路図である。
【図９】検出した照度を判定するためのグラフである。
【図１０】実施の形態４で採用する照度センサ回路の回路図である。
【図１１】図１０の照度センサによる出力値と照度の関係を示すグラフである。
【図１２】本発明の実施の形態６における図３相当位置での断面図である。
【符号の説明】
【００４６】
１  照明装置
２  器具本体
３  グローブ（器具外郭形成部材）
４  ランプ
５  照度センサブロック
６  カバー（外郭透過カバー）
７  フィルタ部材
８  マイコン
９  フォトトランジスタ
１２、２１  透過カバー
１５  受光部
１９  レンズ
２０  外郭形成部材
２３  吸収層
２５、２６  保護層
【図１】
0004548276.tif 000002
【図２】
0004548276.tif 000003
【図３】
0004548276.tif 000004
【図４】
0004548276.tif 000005
【図５】
0004548276.tif 000006
【図６】
0004548276.tif 000007
【図７】
0004548276.tif 000008
【図８】
0004548276.tif 000009
【図９】
0004548276.tif 000010
【図１０】
0004548276.tif 000011
【図１１】
0004548276.tif 000012
【図１２】
0004548276.tif 000013